【手続補正書】
【提出日】平成20年5月10日(2008.5.10)
【手続補正１】
【補正対象書類名】特許請求の範囲
【補正対象項目名】全文
【補正方法】変更
【補正の内容】
【特許請求の範囲】
【請求項１】
画像情報に基づいて光変調され、互いに異なる波長帯域の光束を発光する複数の光源手段と、該複数の光源手段からの光束を１つの光束に合成する光合成手段と、該光合成手段からの光束を走査し被走査面上に画像情報を形成する走査手段と、該走査手段と該複数の光源手段を同期制御する制御手段とを有する画像表示装置において、
該走査手段の光入射側の任意の光路中に、光束を複数に分割するための光束分割手段と、該光束分割手段で分割された一方の光束中に受光手段と、該受光手段で受光される光量に基づいて、該複数の光源手段のうちの１以上の光源手段の発光量を調整する調整手段と、を有していることを特徴とする画像表示装置。
【請求項２】
画像情報に基づいて光変調され、互いに異なる波長帯域の光束を発光する複数の光源手段と、該複数の光源手段からの光束を１つの光束に合成する光合成手段と、該光合成手段からの光束を２次元走査し、被走査面上に画像情報を形成する走査手段と、該走査手段からの光束を被走査面上に導光する光学系と、該走査手段と該複数の光源手段を同期制御する制御手段とを有する画像表示装置において、
該走査手段の光入射側の任意の光路中に、光束を複数に分割するための光束分割手段と、該光束分割手段で分割された一方の光束中に受光手段と、該受光手段で受光される光量に基づいて、該複数の光源手段のうち、該受光手段に入射する光束を発する光源手段の発光量を調整する調整手段と、を有していることを特徴とする画像表示装置。
【請求項３】
前記被走査面上には、前記走査手段の光束の走査によって画像が形成される第１の走査領域とそれ以外の第２の走査領域が存在し、前記調整手段は該走査手段が該第２の走査領域を走査しているときに前記受光素子で受光される光量に基づいて前記発光量を調整する光源手段の光量調整を行うことを特徴とする請求項１又は２の画像表示装置。
【請求項４】
前記光合成手段は、前記複数の光源手段のうち少なくとも第１と第２の光源手段からの光束を１つの光束に合成しており、前記受光手段は、該合成した１つの光束中に配置されており、前記調整手段は、該受光手段からの信号を用いて該第１と第２の光源手段の光量調整を行うことを特徴とする請求項１から３のいずれか１項の画像表示装置。
【請求項５】
前記制御手段は前記複数の光源手段からの光束が時間差を有して、前記受光手段に順次入射するように制御していることを特徴とする請求項１から４のいずれか１項の画像表示装置。
【請求項６】
被写体を撮像する撮像部と該撮像部で得られた画像を請求項１から５のいずれか１項の画像表示装置で表示することを特徴とする撮像装置。
【手続補正２】
【補正対象書類名】明細書
【補正対象項目名】００１７
【補正方法】変更
【補正の内容】
【００１７】
図１は、本発明の光走査型の画像表示装置の構成の概要図である。図１において、１０１ｒ，１０１ｇ，１０１ｂ（１０１）はそれぞれ赤色、緑色、青色の波長帯域の光束を発光する光源（光源手段）である。
【手続補正３】
【補正対象書類名】明細書
【補正対象項目名】００２１
【補正方法】変更
【補正の内容】
【００２１】
色合成光学系１１１に入射した光束は、赤、緑、青色が１つのビーム（光束）に合成され矢印１２９の方向に配置した光束分割手段（光路分割手段）１０３に向かう。光路分割手段１０３は、光路を画像表示するために走査手段１０６に向かうため透過側の第１の光路（矢印）１３０と、光量調整を行うための受光素子１０４に向かう反射側の第２の光路（矢印）１３２とに光束を分割している。即ち光路分割手段１０３は走査手段１０６の光入射側で任意の光路中に配置されている。受光素子１０１は光路分割手段１０３で分割された一方の光路中に配置されている。
【手続補正４】
【補正対象書類名】明細書
【補正対象項目名】００２４
【補正方法】変更
【補正の内容】
【００２４】
走査手段１０６は、水平方向に走査するための水平走査手段１０６Ｈと、水平走査手段の走査方向とは直交する方向に走査するための垂直走査手段１０６Ｖとからなり、入射した光束を２つの走査手段１０６Ｈ，１０６Ｖとにより被走査面１０８上を走査光学系１０７を介し、２次元的に走査（２次元走査）する。
【手続補正５】
【補正対象書類名】明細書
【補正対象項目名】００２６
【補正方法】変更
【補正の内容】
【００２６】
走査手段１０６に入射した光束は光学系（走査光学系）１０７を介してしてスクリーン（被走査面）１０８上に集光し（導光し）、その結果として光源手段１０１からの光束の集光点１０９は走査手段１０６によりラスタスキャンされ、走査線１１０ｂを形成する。図１では、わかりやすくするため走査線１１０を間引いて表示している。走査線１１０ｂはラスタスキャンの帰線期間である。
【手続補正６】
【補正対象書類名】明細書
【補正対象項目名】００３１
【補正方法】変更
【補正の内容】
【００３１】
光源１０１ｒ，１０１ｂおよび赤外レーザ１２１ｌｄは、変調用の駆動回路（ドライバ）１１８ｒ，１１８ｂおよび１１８ｇに電気的に接続されており駆動される。また、駆動回路１１８ｒ，１１８ｇ，１１８ｂは、受光素子１０４に接続された受光素子用の駆動回路（調整手段）１２０とも接続されている。調整手段１２０は複数の光源手段のうちの１以上の光源手段の発光量を調整している。
【手続補正７】
【補正対象書類名】明細書
【補正対象項目名】００３３
【補正方法】変更
【補正の内容】
【００３３】
所定の映像信号の画像をスクリーン１０８上に表示するために、光源１０１ｒ，１０１ｇ，１０１ｂを駆動するための駆動回路１１８ｒ，１１８ｇ，１１８ｂと走査手段用の駆動回路１１６、１１７は同期して駆動制御（同期制御）される。
【手続補正８】
【補正対象書類名】明細書
【補正対象項目名】００４２
【補正方法】変更
【補正の内容】
【００４２】
図４に示したように、光量調整のための信号１２５ｇ，１２５ｂ，１２５ｒを時間的にずらすことで、１つの受光素子１０４でありながら各光源手段のうち１以上の光源手段の光量調整ができるようにしている。
【手続補正９】
【補正対象書類名】明細書
【補正対象項目名】００７５
【補正方法】変更
【補正の内容】
【００７５】
第２の走査領域２１７中の走査線２１８ｏ区間において、各光源（第１と第２の光源手段）２０１ｒ，２０１ｇの光量調整（ＡＰＣ）が、区間（走査区間）２１９ｇ，２１９ｒでそれぞれ順次実行される。２１８ｂは復帰走査線である。
【手続補正１０】
【補正対象書類名】明細書
【補正対象項目名】００８１
【補正方法】変更
【補正の内容】
【００８１】
又実施例２においては受光手段２０４とその他の部材を図１１に示す位置に変更配置し、少なくとも２つの光源手段２０１ｒ，２０１ｇから放射される光束を１つの受光素子２０４で受光できるように構成しても良く、これによれば部品点数の削減に対して効果的である。即ち、合成光学系２１１で第１、第２の光源手段２０１ｒ、２０１ｇからの光束を１つの光束に合成し、その合成した１つの光束中に受光手段２０４を配置しても良い。
【手続補正１１】
【補正対象書類名】明細書
【補正対象項目名】０１１０
【補正方法】変更
【補正の内容】
【０１１０】
観察者は、表示部149における被走査面108を直接眼で観察するか、または、不図示の接眼光学系を用いて被走査面108を虚像として観察するように構成することで被走査面108の画像（被写体）を観察する。
【手続補正１２】
【補正対象書類名】明細書
【補正対象項目名】０１１７
【補正方法】変更
【補正の内容】
【０１１７】
２色光又は赤、青、緑色光用の光源手段の光量調整を行うための光量情報を、光源手段からの光束を受光手段から時間差をもって順次入射して得るように構成することによって、１つの受光手段で２つ又は３つの光源手段の光量調整を行うことができる。